(57)【要約】  メッシュアクセスポイント（ＭＡＰ）と通信する、基本サービスセット（ＢＳＳ）タイマを含むステーション（ＳＴＡ）と、ネットワーク管理（ＮＭ）エンティティとを含み、ＭＡＰおよびＮＭエンティティは、メッシュタイマを含む、無線通信システムにおいて、タイミングを調整するための方法および装置は、ＳＴＡが、ＢＳＳタイマ値を含むＢＳＳタイマ情報メッセージをＭＡＰに送信することを含む。ＭＡＰは、ＢＳＳタイマ情報メッセージを受信して、このメッセージを修正する。ＭＡＰは、修正されたメッセージをＮＭエンティティに転送する。
2009534992.tif 000002
【特許請求の範囲】
【請求項１】
メッシュアクセスポイント（ＭＡＰ）と通信する、基本サービスセット（ＢＳＳ）タイマを含む局（ＳＴＡ）と、ネットワーク管理（ＮＭ）エンティティとを含み、前記ＭＡＰおよび前記ＮＭエンティティは、メッシュタイマを含む、無線通信システムにおいて、タイミングを調整するための方法であって、
（ａ）前記ＳＴＡが、ＢＳＳタイマ値を含むＢＳＳタイマ情報メッセージを前記ＭＡＰに送信するステップと、
（ｂ）前記ＭＡＰが、前記ＢＳＳタイマ情報メッセージを受信して、前記メッセージを修正するステップと、
（ｃ）前記ＭＡＰが、前記修正されたメッセージを前記ＮＭエンティティに転送するステップと
を含むことを特徴とする方法。
【請求項２】
ステップ（ｂ）は、
（ｄ）前記ＭＡＰが、等価な時間値を計算するステップと、
（ｅ）前記ＭＡＰが、前記計算された等価な時間値で前記ＢＳＳタイマ値を置き換えるステップと
をさらに含むことを特徴とする請求項１に記載の方法。
【請求項３】
前記等価な時間値は、タイマオフセット情報に基づいて計算されることを特徴とする請求項２に記載の方法。
【請求項４】
前記等価な時間値は、前記メッシュタイマに関して計算されることを特徴とする請求項２に記載の方法。
【請求項５】
前記無線通信システムは、前記ＮＭエンティティと前記ＭＡＰとの間に少なくとも１つのメッシュポイント（ＭＰ）をさらに含むことを特徴とする請求項１に記載の方法。
【請求項６】
前記ＭＡＰは、前記少なくとも１つのＭＰを介して前記ＮＭエンティティに前記修正されたメッセージを転送することを特徴とする請求項５に記載の方法。
【請求項７】
前記少なくとも１つのＭＰは、同期されたＭＰであることを特徴とする請求項６に記載の方法。
【請求項８】
前記少なくとも１つのＭＰは、同期されていないＭＰであることを特徴とする請求項６に記載の方法。
【請求項９】
前記同期されていないＭＰが、前記修正されたメッセージを受信して、前記修正されたメッセージを前記ＮＭエンティティに転送するのに先立って、前記修正されたメッセージをさらに修正するステップをさらに含むことを特徴とする請求項８に記載の方法。
【請求項１０】
前記ＭＡＰは、ＭＡＰタイマ情報を前記ＢＳＳタイマ情報メッセージに付加することを特徴とする請求項１に記載の方法。
【請求項１１】
前記ＭＡＰタイマ情報は、前記メッシュタイマオフセットを含むことを特徴とする請求項１０に記載の方法。
【請求項１２】
前記ＭＡＰタイマ情報は、前記メッシュタイマオフセットドリフトレートを含むことを特徴とする請求項１０に記載の方法。
【請求項１３】
前記修正されたメッセージは、拡張されたＢＳＳタイマ情報メッセージであることを特徴とする請求項１に記載の方法。
【請求項１４】
前記修正されたメッセージは、新たに生成されたメッセージであることを特徴とする請求項１に記載の方法。
【請求項１５】
前記ＭＡＰが、
（ｄ）メッシュタイマメッセージを受信するステップと、
（ｅ）前記メッシュタイマメッセージを修正するステップと、
（ｆ）前記修正されたメッセージを前記ＳＴＡに転送するステップと
をさらに含むことを特徴とする請求項１に記載の方法。
【請求項１６】
ステップ（ｂ）は、情報要素（ＩＥ）を前記修正されたメッセージに追加するステップをさらに含むことを特徴とする請求項１に記載の方法。
【請求項１７】
ステップ（ｂ）は、前記タイマ値を、カプセル化するフレームに含めるステップをさらに含むことを特徴とする請求項１に記載の方法。
【請求項１８】
メッシュアクセスポイント（ＭＡＰ）と通信する、基本サービスセット（ＢＳＳ）タイマを含む局（ＳＴＡ）と、ネットワーク管理（ＮＭ）エンティティとを含み、前記ＭＡＰおよび前記ＮＭエンティティは、メッシュタイマを含む、無線通信システムにおいて、タイミングを調整するための方法であって、
（ａ）前記ＮＭエンティティが、タイミング値の報告を指示する命令を含む命令信号を前記ＭＡＰに送信するステップと、
（ｂ）前記ＭＡＰが、前記ＮＭエンティティにタイミング値を報告するステップと、
（ｃ）前記ＭＡＰが、タイミング値を受信して、前記タイミング値を修正なしに転送するステップと、
（ｄ）前記ＮＭエンティティが、前記少なくとも１つのＭＡＰに関するタイミングオフセットを導き出すステップと
を含むことを特徴とする方法。
【請求項１９】
前記ＭＡＰは、前記ＮＭエンティティからタイミング値を受信して、前記タイミング値を第１のＳＴＡに転送することを特徴とする請求項１８に記載の方法。
【請求項２０】
前記ＭＡＰは、前記ＳＴＡからタイミング値を受信して、前記タイミング値を前記ＮＭエンティティに転送することを特徴とする請求項１８に記載の方法。
【請求項２１】
前記ＭＡＰが、前記命令信号を第１のＳＴＡに転送するステップをさらに含むことを特徴とする請求項１８に記載の方法。
【請求項２２】
前記第１のＳＴＡが、タイミング値を前記ＭＡＰに報告するステップをさらに含むことを特徴とする請求項２１に記載の方法。
【請求項２３】
前記タイミング値は、前記ＢＳＳメッシュタイミングオフセット値を含むことを特徴とする請求項１８に記載の方法。
【請求項２４】
前記タイミング値は、絶対値を含むことを特徴とする請求項１８に記載の方法。
【請求項２５】
（ｅ）第１のＳＴＡが、第２の局にメッセージを送信するステップと、
（ｆ）前記第２のＳＴＡが、前記第１のＳＴＡと前記第２のＳＴＡとの間の現在のタイマオフセットを要求するステップを
さらに含むことを特徴とする請求項１８に記載の方法。
【請求項２６】
前記第１のＳＴＡは、第１のＢＳＳに入っており、前記第２のＳＴＡは、第２のＢＳＳに入っていることを特徴とする請求項２５に記載の方法。
【請求項２７】
メッシュアクセスポイント（ＭＡＰ）と通信する、基本サービスセット（ＢＳＳ）タイマを含む局（ＳＴＡ）と、複数のメッシュポイント（ＭＰ）と、ネットワーク管理（ＮＭ）エンティティとを含み、前記ＭＡＰおよび前記ＮＭエンティティは、メッシュタイマを含む、無線通信システムにおいて、タイミングを調整するための方法であって、
（ａ）前記ＮＭエンティティが、基準クロックと関係する情報を含む同期メッセージを前記ＭＡＰおよび前記複数のＭＰに送信するステップと、
（ｂ）前記ＭＡＰが、前記同期メッセージを関連するＳＴＡに転送するステップと、
（ｃ）前記ＭＡＰ、前記ＳＴＡ、および前記複数のＭＰが、前記同期メッセージに従って、それぞれのタイムベースを同期するステップと
を含むことを特徴とする方法。
【請求項２８】
前記ＮＭエンティティが、前記ＭＡＰおよび前記複数のＭＰに再同期メッセージを送信するステップをさらに含むことを特徴とする請求項２７に記載の方法。
【請求項２９】
受信機と、
送信機と、
基本サービスセット（ＢＳＳ）タイマ情報メッセージを受信し、前記ＢＳＳタイマ情報メッセージを修正し、前記修正されたメッセージをネットワーク管理（ＮＭ）エンティティに転送するように構成された、前記受信機および前記送信機と通信するプロセッサと
を含むことを特徴とするメッシュアクセスポイント（ＭＡＰ）。
【請求項３０】
前記プロセッサは、前記ＮＭエンティティから同期メッセージを受信し、前記同期メッセージに従って前記ＭＡＰを同期するようにさらに構成されることを特徴とする請求項２９に記載のＭＡＰ。
【請求項３１】
前記プロセッサは、前記ＭＡＰと通信するＳＴＡに前記同期メッセージを転送するようにさらに構成されることを特徴とする請求項３０に記載のＭＡＰ。
【請求項３２】
前記プロセッサは、中間メッシュポイント（ＭＰ）を介して前記ＮＭエンティティに前記修正されたメッセージを転送するようにさらに構成されることを特徴とする請求項２９に記載のＭＡＰ。
【請求項３３】
前記プロセッサは、等価な時間値を計算するようにさらに構成されることを特徴とする請求項２９に記載のＭＡＰ。
【請求項３４】
前記等価な時間値は、前記メッシュタイマに基づくことを特徴とする請求項３３に記載のＭＡＰ。
【請求項３５】
前記プロセッサは、前記ＮＭエンティティから命令信号を受信し、ＢＳＳメッシュタイミングオフセット値を前記ＮＭエンティティに報告するようにさらに構成されることを特徴とする請求項２９に記載のＭＡＰ。
【請求項３６】
前記プロセッサは、前記ＮＭエンティティから前記ＳＴＡに前記命令信号を転送するようにさらに構成されることを特徴とする請求項３５に記載のＭＡＰ。
【請求項３７】
受信機と、
送信機と、
基本サービスセット（ＢＳＳ）タイマ情報メッセージを受信し、前記ＢＳＳタイマ情報メッセージを修正し、前記修正されたメッセージをネットワーク管理（ＮＭ）エンティティに転送するように構成された、前記受信機および前記送信機と通信するプロセッサと
を含むことを特徴とする集積回路（ＩＣ）。
【請求項３８】
前記プロセッサは、前記ＮＭエンティティから同期メッセージを受信し、前記同期メッセージに従って前記ＭＡＰを同期するようにさらに構成されることを特徴とする請求項３７に記載のＩＣ。
【請求項３９】
前記プロセッサは、前記ＭＡＰと通信するＳＴＡに前記同期メッセージを転送するようにさらに構成されることを特徴とする請求項３８に記載のＩＣ。
【請求項４０】
前記プロセッサは、中間メッシュポイント（ＭＰ）を介して前記ＮＭエンティティに前記修正されたメッセージを転送するようにさらに構成されることを特徴とする請求項３７に記載のＩＣ。
【請求項４１】
前記プロセッサは、等価な時間値を計算するようにさらに構成されることを特徴とする請求項３７に記載のＩＣ。
【請求項４２】
前記等価な時間値は、前記メッシュタイマに基づくことを特徴とする請求項４１に記載のＩＣ。
【請求項４３】
前記プロセッサは、前記ＮＭエンティティから命令信号を受信し、ＢＳＳメッシュタイミングオフセット値を前記ＮＭエンティティに報告するようにさらに構成されることを特徴とする請求項３７に記載のＩＣ。
【請求項４４】
前記プロセッサは、前記ＮＭエンティティから前記ＳＴＡに前記命令信号を転送するようにさらに構成されることを特徴とする請求項４３に記載のＩＣ。
【発明の詳細な説明】
【技術分野】
【０００１】
本発明は、無線ローカルエリアネットワーク（ＷＬＡＮ）におけるタイミングに関する。より詳細には、本発明は、ＷＬＡＮにおけるタイミングを調整するための方法および装置に関する。
【背景技術】
【０００２】
８０２．１１ｓ標準は、８０２．１１  無線ローカルエリアネットワーク（ＷＬＡＮ）技術を用いてメッシュ無線バックホール（backhaul：帰路）を形成する手段を提供する。メッシュネットワークは、パケットが、パケットの宛先に到達するために複数回中継される可能性があるので、マルチホップネットワークとしても知られる。このことは、局（ＳＴＡ：station）が、事実上、基本サービスセット（ＢＳＳ）を介する単一ホップ通信を使用してアクセスポイント（ＡＰ）に接続されるスター型トポロジだけにしか対処しない元のＷＬＡＮ標準と比べて、異なるパラダイムを提供する。元のＷＬＡＮパラダイムは、「インフラストラクチャモード」とも呼ばれる場合がある。
【０００３】
しかし、８０２．１１ｓ標準は、ネットワーク側ノードがメッシュネットワークを形成し、バックホールにおけるＷＬＡＮメッシュ動作が、すべてのＳＴＡにトランスペアレントであるシナリオだけにしか対処しない。このことは、古い８０２．１１  ＷＬＡＮネットワークの場合と同様に、ＳＴＡは、依然として、ＢＳＳを介してＡＰに接続されることを意味する。メッシュＡＰ（ＭＡＰ）と呼ばれるメッシュ対応のＡＰが、ＷＬＡＮバックホールメッシュを介してトラフィックを転送し、宛先にルーティングする他のＭＰ（メッシュポイント）に対して、「バックホール」側でインタフェースをとる。宛先は、無線メッシュセグメントを有線ＬＡＮセグメントに接続することが可能なメッシュポータルであることが可能であり、あるいはメッシュネットワークに接続された別のＭＡＰであることが可能である。このようにして、古いＳＴＡは、ＷＬＡＮメッシュ対応のバックホールネットワークにおいて動作することができる。基本的に、ＭＡＰは、ＢＳＳにおいてＳＴＡにサービスを提供する通常のＡＰと同様に機能し、さらに、無線ブリッジ、つまりＭＰとして機能して、バックホールメッシュを介するパケットの受信、転送、およびルーティングを行う。
【０００４】
既存技術の８０２．１１技術において、ＳＴＡは、ＳＴＡの内部タイマを、ＡＰによって定期的な間隔で送信されるビーコンフレームに合わせることによってＡＰに同期する。したがって、ＡＰは、ＡＰのＢＳＳの中のすべてのＳＴＡに関するタイミング基準を成す。ＳＴＡと、ＢＳＳの中のＡＰとの間の、この通信プロセスは、メッシュとは完全に無関係であり、したがって、ＳＴＡは、バックホールにおけるメッシュネットワークの存在を通常、認識していない。
【０００５】
ＢＳＳは、ＡＰを介して、ビーコンフレームの使用を通じて、すべてのＳＴＡを共通のクロックおよびタイマに同期する。この共通のＢＳＳタイマ値は、ＳＴＡによってイベントおよび測定値をＡＰに報告する際、またはＡＰによってＳＴＡまたはＢＳＳにおける無線設定を修正するアクションを適用する際に、タイムスタンプまたは基準時間間隔として、しばしば使用される。これらのアクションおよび特徴の一部は、ＩＥＥＥ８０２．１１ｈ、ｋ、ｖ修正において与えられる。例えば、Ｂａｓｉｃ  Ｒｅｑｕｅｓｔ、ＣＣＡ  Ｒｅｑｕｅｓｔ、ＲＰＩ  Ｈｉｓｔｏｇｒａｍ  ＲｅｑｕｅｓｔなどのＤＦＳおよび規制上のレーダー回避のために使用される測定のすべては、各測定に関する開始時刻を指定する。ＲＰＩ  Ｈｉｓｔｏｇｒａｍ  Ｒｅｐｏｒｔ、Ｂｅａｃｏｎ  Ｒｅｐｏｒｔ、Ｃｈａｎｎｅｌ  Ｌｏａｄ  Ｒｅｐｏｒｔなどのすべての８０２．１１測定レポートは、測定がいつ行われたかをレポート受信者が知ることができるように、実際の開始時刻情報要素（ＩＥ：information element）および測定継続時間ＩＥを含む。
【０００６】
同様に、メッシュネットワークを形成するメッシュノードは、共通のクロックを使用して互いの間で同期することができる。ＭＰが、共通のクロックを用いて機能する場合、これらのＭＰは、同期ＭＰと呼ばれる。ＷＬＡＮ  Ｍｅｓｈ  Ｃａｐａｂｉｌｉｔｙ要素の「Ｓｙｎｃｈｒｏｎｉｚａｔｉｏｎ  Ｃａｐａｂｉｌｉｔｙ」フィールドの中の「Ｓｙｎｃｈｒｏｎｉｚｅｄ  ｗｉｔｈ  ｐｅｅｒ  ＭＰ」ビットが、１に設定されると、このことは、そのＭＰが、現在、同期ＭＰであることを示す。ＢＳＳの中のＡＰによって使用されるタイマと、メッシュにおいて使用されるタイマとは、必ずしも同一ではない。したがって、現在、提案されるところでは、８０２．１１ｓ修正案は、同期ＭＡＰが、同期ＭＡＰのタイマオフセット（つまり、メッシュクロックと比較されたＢＳＳクロック）を、少なくとも、同期ＭＡＰのＴｉｅｒ−１近隣ノードに通信して、Ｔｉｅｒ−１近隣と通信する際このＭＡＰに関する制限を回避する機構を含む。この情報は、ビーコンタイミング要素の中に含められる。このビーコンタイミング要素は、同期ＭＰによって、同期ＭＰの自己ＴＳＦとメッシュＴＳＦとの間のオフセットを通知するのに使用され、さらに０、または同期ＭＰの１つ以上の近隣ＭＰのビーコンタイミング情報を通知するのに使用される。
【０００７】
図１は、ＷＬＡＮメッシュネットワークと、複数のＢＳＳとを含む無線通信システム１００を示す。ＷＬＡＮメッシュネットワークは、複数のＭＡＰ１２０と、メッシュノード（ＭＰ）１１０と、少なくとも１つのゲートウェイノード１３０とを含む。メッシュタイマが、メッシュＷＬＡＮに関連付けられる。さらに、各ＭＡＰ１２０は、ＢＳＳタイマ（それぞれ、タイマ１、タイマ２、タイマ３、およびタイマ４）をそれぞれが含むＢＳＳ（指定されたＢＳＳ１、ＢＳＳ２、ＢＳＳ３、およびＢＳＳ４）の一部でもある。ＢＳＳは、ＳＴＡ１４０を含むことも可能である。この例では、ＢＳＳ１は、１つのＳＴＡ１４０を含み、ＢＳＳ２は、ＳＴＡ１４０を全く含まず、ＢＳＳ３は、２つのＳＴＡ１４０を含み、ＢＳＳ４は、１つのＳＴＡ１４０を含む。任意の数のＳＴＡ１４０が、任意のＢＳＳに含められることが可能であることに留意されたい。ＳＴＡ１４０は、これらのＳＴＡ１４０のＢＳＳの関連するＭＡＰ１２０と無線通信している。
【発明の開示】
【発明が解決しようとする課題】
【０００８】
現在、ＢＳＳの中のＳＴＡによって、関連するＭＡＰに報告され、ネットワークベースのネットワークマネージャ（ＮＭ）に転送されるタイミング値が、リモートＮＭにも意味のあるタイミング値に変換される機構は、全く存在しない。リモートＮＭは、メッシュを介して接続された際、ＳＴＡによって使用されるＢＳＳタイミング値についてよく知らないため、そのＮＭが、Ｔｉｅｒ−１メッシュ近隣の１つの上に存在するのでない限り、ＮＭは、そのタイミング情報を利用することができない。
【０００９】
したがって、このことは、ＳＴＡから無線測定値を収集する際、またはＢＳＳの中のＳＴＡに関してＡＰを介して無線設定の変更を調整しようと試みる際、既存のシグナリング手続きの有用性を制限する。事実上、このことは、そのような無線測定機能または無線管理機能の実施をＡＰ自体に限定する。さらに、有線ＷＬＡＮバックホールネットワークにおいて、最も顕著な実施形態は、費用と性能の両方の理由で集中ネットワーク管理機能を支持する。
【００１０】
したがって、８０２．１１ｓ対応のＷＬＡＮメッシュバックホールを介するネットワーク管理機能の実施を可能にするために、ＢＳＳタイミング値をメッシュタイミング値に変換することが有利である。
【課題を解決するための手段】
【００１１】
本発明は、メッシュアクセスポイント（ＭＡＰ）と通信する、基本サービスセット（ＢＳＳ）タイマを含む局（ＳＴＡ）と、ネットワーク管理（ＮＭ）エンティティとを含む無線通信システムにおいて、タイミングを調整するための方法および装置に関し、ＭＡＰおよびＮＭエンティティは、メッシュタイマを含む。ＳＴＡは、ＢＳＳタイマ情報メッセージをＭＡＰに送信し、ＢＳＳタイマ情報メッセージは、ＢＳＳタイマ値を含む。ＭＡＰは、ＢＳＳタイマ情報メッセージを受信して、このメッセージを修正する。ＭＡＰは、修正されたメッセージをＮＭエンティティに転送する。
【発明を実施するための最良の形態】
【００１２】
本発明のより詳細な理解は、例として与えられ、添付の図面と併せて理解されるべき、好ましい実施形態の以下の説明から得ることができる。
【００１３】
以降、言及される場合、「ＷＴＲＵ（無線送受信ユニット）」という用語には、ＵＥ（ユーザ機器）、移動局、固定加入者ユニットもしくは移動加入者ユニット、ポケットベル、セルラー電話機、ＰＤＡ（パーソナルデジタルアシスタント）、コンピュータ、または無線環境で動作することができる他の任意のタイプのユーザデバイスが含まれるが、以上には限定されない。以降、言及される場合、「基地局」という用語には、ノードＢ、サイトコントローラ、ＡＰ（アクセスポイント）、または無線環境で動作することができる他の任意のタイプのインタフェースデバイスが含まれるが、以上には限定されない。
【００１４】
本発明は、ＷＬＡＮ（無線ローカルエリアネットワーク）におけるタイミングを調整するための方法および装置を対象とする。
【００１５】
図２は、本発明による図１のＷＬＡＮメッシュネットワークにおけるタイミングを調整するように構成されたＷＴＲＵ２００の機能ブロック図である。ＷＴＲＵ２００は、ＭＡＰ（メッシュアクセスポイント）１２０、ＳＴＡ（局）１４０、ＭＰ（メッシュポイント）１１０、およびゲートウェイノード１３０を含むが、以上には限定されない、図１に示されるデバイスのいずれかとして機能することが可能である。
【００１６】
通常のＷＴＲＵにおいて見られることが可能な構成要素に加え、ＷＴＲＵ２００は、プロセッサ２１５、受信機２１６、送信機２１７、およびアンテナ２１８を含む。プロセッサ２１５は、本発明に従ってＷＬＡＮにおけるタイミングを調整するように構成される。受信機２１６および送信機２１７は、プロセッサ２１５と通信している。アンテナ２１８は、受信機２１６と送信機２１７の両方と通じており、無線データの送受信を円滑にする。
【００１７】
図３は、図１の無線通信システムにおけるタイミングを調整するための方法を実行する、ＷＬＡＮメッシュネットワークと、複数のＢＳＳとを含む無線通信システム３００を示す。無線通信システム３００は、図１に示される無線通信システム１００と実質的に同様である。つまり、ＷＬＡＮメッシュネットワークは、複数のＭＡＰ１２０と、ＭＰ１１０と、少なくとも１つのゲートウェイノード１３０とを含む。メッシュタイマが、メッシュＷＬＡＮに関連付けられる。さらに、各ＭＡＰ１２０は、ＢＳＳタイマ（それぞれ、タイマ１、タイマ２、タイマ３、およびタイマ４）をそれぞれが含むＢＳＳ（指定されたＢＳＳ１、ＢＳＳ２、ＢＳＳ３、およびＢＳＳ４）の一部でもある。ＢＳＳは、ＳＴＡ１４０を含むことも可能である。やはり、この例では、ＢＳＳ１は、１つのＳＴＡ１４０を含み、ＢＳＳ２は、ＳＴＡ１４０を全く含まず、ＢＳＳ３は、２つのＳＴＡ１４０を含み、ＢＳＳ４は、１つのＳＴＡ１４０を含むものの、任意の数のＳＴＡ１４０が、任意のＢＳＳに含められることが可能であることに留意されたい。好ましくは、ＳＴＡ１４０は、これらのＳＴＡのそれぞれのＢＳＳの関連するＭＡＰ１２０と無線通信している。
【００１８】
図４は、図３の無線通信システム３００におけるタイミングを調整するための方法を実行するＳＴＡ１４０、ＭＡＰ１２０、ＭＰ１１０、およびメッシュポータル１３０の例示的な信号図４００である。より詳細な方法が後段で説明されるものの、一般に、ＳＴＡ１４０は、ＢＳＳタイマメッセージをＭＡＰ１２０に送信する（４１０）。ＢＳＳタイマメッセージは、「タイミング」メッセージまたは「タイムスタンプ」メッセージと呼ばれることも可能である。ＭＡＰ１２０は、ＢＳＳタイマメッセージを等価なタイマメッセージに修正し（４２０）、この等価なタイマメッセージをメッシュポータル１３０に送信する（４３０）。ＭＡＰ１２０とメッシュポータル１３０の間にＭＰ１１０が存在する場合、この等価なタイマメッセージは、そのＭＰ１１０に送信され（４３５）、そのＭＰが、この等価なタイマメッセージをメッシュポータル１３０に転送する（４３６）。
【００１９】
図５は、図３の無線通信システム３００におけるタイミングを調整するための方法を実行することの流れ図５００である。ステップ５１０で、ＳＴＡ１４０が、ＢＳＳタイマ情報を含むメッセージをＭＡＰ１２０に送信する。特に、ＳＴＡ１４０は、ＢＳＳタイマ情報を、ＳＴＡ１４０のそれぞれのＭＡＰ１２０に送信する。例えば、ＢＳＳ１の中のＳＴＡ１４０は、ＢＳＳタイマ情報を、ＢＳＳ１に関連するＭＡＰ１２０に送信する。
【００２０】
ＭＡＰ１２０は、ＳＴＡ１４０からＢＳＳタイマ情報を受信し、このメッセージを修正して、修正されたタイマメッセージ（修正タイマメッセージ）を作成する（ステップ５２０）。本発明の好ましい実施形態において、ＭＡＰ１２０は、タイマオフセット情報を利用して、メッシュタイマ、または別の基準タイムベースの観点で等価な時間値を計算する。さらに、ＭＡＰ１２０は、メッシュタイマオフセットやメッシュタイマオフセットドリフトレート（mesh time offset drift rate）などのさらなるＭＡＰタイマ情報を、修正されたタイマメッセージに付加することができる。修正されたメッセージは、ＳＴＡ１４０から受信された元のメッセージに基づいて、ＭＡＰ１２０によって作成された、拡張されたメッセージであることが可能であり、あるいはＳＴＡ１４０から受信された情報を含む、ＭＡＰ１２０によって作成された新たなメッセージであることが可能である。新たなＩＥ（情報要素）、または代替として、新たな情報フィールドが、元のメッセージに追加されてもよい。また、等価なタイマ値は、カプセル化するフレームに含められることも可能である。例えば、元のフレームおよびタイミングが、その新たなタイミング情報を含むことが可能なメッシュフレーム内にカプセル化されてもよい。
【００２１】
ＭＡＰ１２０は、修正されたメッセージをＮＭ（ネットワーク管理）エンティティに転送する（ステップ５３０）。本発明の好ましい実施形態では、ＮＭエンティティは、メッシュポータル１３０である。しかし、ＮＭエンティティは、メッシュポータル１３０に加えて、他のデバイスに存在することも可能である。修正されたメッセージが、同期されていないＭＰ１１０を経由してＮＭエンティティにルーティングされる場合（ステップ５４０）、同期されていない各ＭＰ１１０は、受信されたタイマメッセージを修正してから、そのメッセージを、ホップにおける次のＭＰ１１０に、またはＮＭエンティティに転送する（ステップ５５０）。
【００２２】
例えば、図３を参照すると、ＢＳＳ３の中のＳＴＡ１４０が、ＳＴＡ１１４０のＢＳＳタイマメッセージを、ＢＳＳ３に関連するＭＡＰ１２０に送信する（実線の矢印によって示される）。ＭＡＰ１２０は、ＳＴＡ１４０から受信した元のメッセージを修正し、そのメッセージを、ＭＰ４を介してＮＭエンティティ（メッシュポータル１３０）に転送する（破線の矢印によって示される）。ＭＰ４が、同期されたＭＰ１１０である場合、ＭＰ４は、ＭＡＰ１２０から受信した、修正されたメッセージを、修正なしに、メッシュポータル１３０に転送することができる。しかし、ＭＰ４が、メッシュＷＬＡＮとは異なるタイムベースを利用するという点で、同期されていない場合、ＭＰ４は、ＭＡＰ１２０から受信したメッセージを、メッシュポータル１３０に転送するのに先立って、修正する。
【００２３】
さらに、逆動作も可能である。つまり、ＭＡＰ１２０が、メッシュＷＬＡＮからタイミングメッセージを受信し、メッシュタイマ値を等価なＢＳＳタイマ値で置き換え、または等価なＢＳＳタイマ値をこのメッセージに付加し、次に、このメッセージをＳＴＡ１４０に転送することができる。また、ＭＡＰ１２０が、メッシュタイマ値に基づいて新たなメッセージを生成して、そのメッセージをＳＴＡ１４０に転送してもよい。
【００２４】
図６は、本発明の別の実施形態による、図３の無線通信システム３００におけるタイミングを調整するための方法を実行するＳＴＡ、ＭＡＰ、ＭＰ、およびメッシュポータルの例示的な信号図６００である。この実施形態では、ＮＭエンティティ（メッシュポータル１３０）が、タイミングメッセージをＭＡＰ１２０に送信する（６１０）。ＮＭエンティティは、無線で、ＭＰ１１０を介して、有線接続を介して、または無線とＭＰ１１０と有線接続の任意の組み合わせを介して、ＭＡＰ１２０と通信することができる。送信されるタイミングメッセージは、ＳＴＡ１４０に関するタイマ値を含む。
【００２５】
ＭＡＰ１２０は、タイミングメッセージを修正することなしに、関連するＳＴＡ１４０にタイミングメッセージを転送する（６２０）。ＭＡＰ１２０は、このタイミングメッセージを、このメッセージのカプセル化または再構築が、中間転送ポイントで行われるかどうかにかかわらず、転送する。
【００２６】
メッシュポータル１３０は、ＭＡＰ１２０に命令信号を送信する（６３０）。この命令信号、またはポーリング信号は、ＳＴＡ１４０のＭＡＰ１２０が、何らかの時間間隔で、ＢＳＳメッシュタイミングオフセット値、または絶対タイミング値を報告して、ＮＭエンティティが、ＮＭエンティティタイムベースに関連して、システム内のすべてのＭＡＰ１２０に関するタイマオフセットを導き出すのを助ける。これらの命令が、ＳＴＡ１４０を宛先とする場合、ＭＡＰ１２０は、命令信号をＳＴＡ１４０に転送する（６４０）。絶対タイミングは、ＧＰＳ（グローバルポジショニングシステム）などの外部のソースから獲得されたタイミング基準を含むことも可能である。
【００２７】
ＳＴＡ１４０は、ＭＡＰ１２０にタイミング値を報告し（６５０）、ＭＡＰは、ＳＴＡ１４０によって報告されたタイミング値を含め、タイミング値をメッシュポータル１３０に報告する（６６０）。したがって、タイマ値を含むメッシュによって転送されたメッセージが、いずれかの宛先デバイスによって受信されるといつでも、宛先デバイスは、ＮＭエンティティから、メッセージ送信元デバイスとメッセージ宛先デバイスとの間の現在のタイマオフセットを要求し、このタイマオフセットを利用して、受信したタイマ値を、宛先デバイスローカルタイムベースに関する等価なタイマ値に変換することができる。
【００２８】
図７は、本発明の別の実施形態による、図３の無線通信システム３００におけるタイミングを調整するための方法を実行するＳＴＡ１４０、ＭＡＰ１２０、ＭＰ１１０、およびメッシュポータル１３０の例示的な信号図である。
【００２９】
この実施例では、メッシュポータル１３０が、同期メッセージをＭＰ１１０およびＭＡＰ１２０に送信する（７１０）。この同期メッセージは、ネットワーク全体によって、またはネットワーク内のＭＰ１１０、ＭＡＰ１２０、およびＳＴＡ１４０のサブセットによって使用されるべき共通の基準クロックを含む。ＭＡＰ１２０は、この同期メッセージをＳＴＡ１４０に転送し（７２０）、ＳＴＡ１４０は、この同期メッセージに従って、ＳＴＡ１４０のタイムベースを同期する（７３０）。
【００３０】
このようにして、システム３００内のすべてのデバイスは、時間基準が、すべてのデバイスに知られており、すべてのデバイスに関して同一であるので、時間変換を全く実行することなしに、タイミング情報を含むメッセージを交換することができる。ＮＭエンティティ（メッシュポータル１３０）が、好ましくは、別の同期メッセージを送信することによって、ネットワークを定期的に再同期して、ネットワーク内の各ポイントにおけるタイムベースドリフトに起因するタイムベース誤差を最小限に抑える。同期メッセージは、測定値などの、メッセージの中のタイミング値を調整することに加えて、同一のタイマに同期するようにすべてのＭＰ１１０または、すべてのＳＴＡ１４０を強制することなどの、より広いコンテキストで使用されることが可能である。
【００３１】
本発明の別の実施形態では、時間オフセット値に基づくＳＴＡ間のタイマ交換が、使用される。この方法では、タイマ値を含む転送されるメッセージに関する宛先デバイスが、その転送されるメッセージの発信元である送信元ＳＴＡと直接にタイムベース情報を交換する。このタイミング情報交換は、送信元ＳＴＡと宛先ＳＴＡとの間の現在のＴｉｅｒオフセットを確立する。送信元デバイスから宛先デバイスまでのメッシュにわたる可変の伝播遅延が、考慮に入れられる。あるいは、タイマオフセット情報は、送信元デバイスと宛先デバイスとの両方が同時に観察することが可能なイベントにタイムスタンプを付けることによって、獲得されることが可能である。一例では、外部ビーコン、または外部タイミングメッセージが、受信されることが可能である。
【００３２】
ＳＴＡ１４０、ＭＡＰ１２０、ＭＰ１１０、およびメッシュポータル１３０によって利用されるシグナリングは、Ｌ２（層２）フレームまたはＬ３（層３）フレームを介して行われることが可能であるとともに、ＳＮＭＰオーバＩＰなどのネットワーク管理プロトコルを介して行われることも可能である。さらに、図６の信号源と信号宛先との間の経路に沿って存在することが可能なＭＰ１１０が、説明される信号の中間ルーティングを提供することが可能である。
【００３３】
さらに、ＳＴＡ１４０、ＭＡＰ１２０、ＭＰ１１０、およびメッシュポータル１３０が、タイミング調整特徴の動作ステータスを含むデータベースを含むことが、この能力がサポートされ、さらに／またはオンにされている場合、可能である。この設定は、ＳＮＭＰなどのＬ２シグナリングフレームまたはＬ３シグナリングフレームを介して、リモートで変更されることが可能である。さらに、デバイスは、ネットワーク内の他のいずれのデバイス、または他のいずれの共通基準時間が、監視され、追跡されることが可能であるかというデータベースエントリを含むように構成されることが可能である。
【００３４】
本発明の特徴および要素は、特定の組み合わせで、好ましい実施形態において説明されるものの、各特徴、または各要素は、好ましい実施形態の他の特徴、または他の要素なしに単独で、あるいは本発明の他の特徴、および他の要素を伴って、または伴わずに様々な組み合わせで使用されることが可能である。本発明において与えられる方法または流れ図は、汎用コンピュータまたはプロセッサによって実行されるようにコンピュータ可読記憶媒体として実体化されたコンピュータプログラム、ソフトウェア、またはファームウェアとして実施されることが可能である。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内部ハードディスクやリムーバブルディスクなどの磁気媒体、光磁気媒体、ならびにＣＤ−ＲＯＭディスクやＤＶＤ（デジタルバーサタイルディスク）などの光媒体が含まれる。
【００３５】
適切なプロセッサには、例として、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態マシンが含まれる。
【００３６】
ソフトウェアに関連するプロセッサを使用して、ＷＴＲＵ（無線送受信ユニット）、ＵＥ（ユーザ機器）、端末装置、基地局、ＲＮＣ（無線ネットワークコントローラ）、または任意のホストコンピュータにおいて使用するための無線周波数トランシーバが実施されることが可能である。ＷＴＲＵは、カメラ、ビデオカメラモジュール、テレビ電話機、スピーカフォン、振動デバイス、スピーカ、マイクロホン、テレビトランシーバ、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）モジュールなどの、ハードウェアおよび／またはソフトウェアとして実施されるモジュールと連携して使用されることが可能である。
【００３７】
（実施形態）
１．ＭＡＰ（メッシュアクセスポイント）と通信する、ＢＳＳ（基本サービスセット）タイマを含むＳＴＡ（局）と、ＮＭ（ネットワーク管理）エンティティとを含み、ＭＡＰおよびＮＭエンティティが、メッシュタイマを含む無線通信システムにおいて、タイミングを調整するための方法。
【００３８】
２．ＳＴＡが、ＢＳＳタイマ情報メッセージをＭＡＰに送信するステップをさらに含む実施形態１の方法。
【００３９】
３．ＢＳＳタイマ情報メッセージが、ＢＳＳタイマ値を含む実施形態１または２に記載の方法。
【００４０】
４．ＭＡＰが、ＢＳＳタイマ情報メッセージを受信して、このメッセージを修正するステップをさらに含む実施形態１から３のいずれかに記載の方法。
【００４１】
５．ＭＡＰが、修正されたメッセージをＮＭエンティティに転送するステップをさらに含む実施形態１から４のいずれかに記載の方法。
【００４２】
６．ＭＡＰが、等価な時間値を計算するステップをさらに含む実施形態１から５のいずれかに記載の方法。
【００４３】
７．ＭＡＰが、計算された等価なタイマ値でＢＳＳタイマ値を置き換えるステップをさらに含む実施形態１から６のいずれかに記載の方法。
【００４４】
８．等価な時間値が、タイマオフセット情報に基づいて計算される実施形態１から７のいずれかに記載の方法。
【００４５】
９．等価な時間値が、メッシュタイマに関して計算される実施形態１から８のいずれかに記載の方法。
【００４６】
１０．ＮＭエンティティとＭＡＰとの間にＭＰ（メッシュポイント）をさらに含む実施形態１から９のいずれかに記載の方法。
【００４７】
１１．ＭＡＰが、少なくとも１つのＭＰを介して、修正されたメッセージをＮＭエンティティに転送する実施形態１から１０のいずれかに記載の方法。
【００４８】
１２．ＭＰが、同期されたＭＰである実施形態１から１１のいずれかに記載の方法。
【００４９】
１３．ＭＰが、同期されていないＭＰである実施形態１から１２のいずれかに記載の方法。
【００５０】
１４．同期されていないＭＰが、修正されたメッセージを受信し、この修正されたメッセージを、ＮＭエンティティに転送するのに先立って、さらに修正するステップをさらに含む実施形態１から１３のいずれかに記載の方法。
【００５１】
１５．ＭＡＰが、ＭＡＰタイマ情報をＢＳＳタイマ情報メッセージに付加する実施形態１から１４のいずれかに記載の方法。
【００５２】
１６．ＭＡＰタイマ情報が、メッシュタイマオフセットを含む実施形態１から１５のいずれかに記載の方法。
【００５３】
１７．ＭＡＰタイマ情報が、メッシュタイマオフセットドリフトレートを含む実施形態１から１６のいずれかに記載の方法。
【００５４】
１８．修正されたメッセージが、拡張されたＢＳＳタイマ情報メッセージである実施形態１から１７のいずれかに記載の方法。
【００５５】
１９．修正されたメッセージが、新たに生成されたメッセージである実施形態１から１８のいずれかに記載の方法。
【００５６】
２０．ＭＡＰが、メッシュタイマメッセージを受信するステップをさらに含む実施形態１から１９のいずれかに記載の方法。
【００５７】
２１．ＭＡＰが、メッシュタイマメッセージを修正するステップをさらに含む実施形態１から２０のいずれかに記載の方法。
【００５８】
２２．ＭＡＰが、修正されたメッセージをＳＴＡに転送するステップをさらに含む実施形態１から２２のいずれかに記載の方法。
【００５９】
２３．ＩＥ（情報要素）を、修正されたメッセージに追加するステップをさらに含む実施形態１から２２のいずれかに記載の方法。
【００６０】
２４．タイマ値を、カプセル化するフレームに含めるステップをさらに含む実施形態１から２３のいずれかに記載の方法。
【００６１】
２５．ＮＭエンティティが、命令信号をＭＡＰに送信するステップをさらに含む実施形態１から２４のいずれかに記載の方法。
【００６２】
２６．命令信号が、タイミング値の報告を指示する命令を含む実施形態２５の方法。
【００６３】
２７．ＭＡＰが、タイミング値をＮＭエンティティに報告するステップをさらに含む実施形態１から２６のいずれかに記載の方法。
【００６４】
２８．ＭＡＰが、タイミング値を受信して、このタイミング値を修正なしに転送するステップをさらに含む実施形態１から２７のいずれかに記載の方法。
【００６５】
２９．ＮＭエンティティが、少なくとも１つのＭＡＰに関するタイミングオフセットを導き出すステップをさらに含む実施形態１から２８のいずれかに記載の方法。
【００６６】
３０．ＭＡＰが、ＮＭエンティティからタイミング値を受信して、このタイミング値を第１のＳＴＡに転送する、実施形態１から２９のいずれかに記載の方法。
【００６７】
３１．ＭＡＰが、ＳＴＡからタイミング値を受信して、このタイミング値をＮＭエンティティに転送する、実施形態１から３０のいずれかに記載の方法。
【００６８】
３２．ＭＡＰが、命令信号を第１のＳＴＡに転送するステップをさらに含む実施形態１から３１のいずれかに記載の方法。
【００６９】
３３．第１のＳＴＡが、タイミング値をＭＡＰに報告するステップをさらに含む実施形態１から３２のいずれかに記載の方法。
【００７０】
３４．タイミング値が、ＢＳＳメッシュタイミングオフセット値を含む実施形態１から３３のいずれかに記載の方法。
【００７１】
３５．タイミング値が、絶対値を含む実施形態１から３４のいずれかに記載の方法。
【００７２】
３６．第１のＳＴＡが、第２の局にメッセージを送信するステップをさらに含む実施形態１から３５のいずれかに記載の方法。
【００７３】
３７．第２のＳＴＡが、第１のＳＴＡと第２のＳＴＡの間の現在のタイマオフセットを要求するステップをさらに含む実施形態１から３６のいずれかに記載の方法。
【００７４】
３８．第１のＳＴＡが、第１のＢＳＳに入っており、第２のＳＴＡが、第２のＢＳＳに入っている実施形態１から３７のいずれかに記載の方法。
【００７５】
３９．ＮＭエンティティが、ＭＡＰ、および複数のＭＰに同期メッセージを送信するステップをさらに含む実施形態１から３８のいずれかに記載の方法。
【００７６】
４０．同期メッセージが、基準クロックと関係する情報を含む実施形態１から３９のいずれかに記載の方法。
【００７７】
４１．ＭＡＰが、同期メッセージを関連するＳＴＡに転送するステップをさらに含む実施形態１から４０のいずれかに記載の方法。
【００７８】
４２．ＭＡＰ、ＳＴＡ、および複数のＭＰが、同期メッセージに従って、それぞれのタイムベースを同期するステップをさらに含む実施形態１から４１のいずれかに記載の方法。
【００７９】
４３．ＮＭエンティティが、ＭＡＰ、および複数のＭＰに再同期メッセージを送信するステップをさらに含む実施形態１から４２のいずれかに記載の方法。
【００８０】
４４．実施形態１から４３のいずれかに記載の方法を実行するように構成されるＭＡＰ。
【００８１】
４５．受信機をさらに含む実施形態４４のＭＡＰ。
【００８２】
４６．送信機をさらに含む実施形態４４〜４５のいずれかに記載のＭＡＰ。
【００８３】
４７．受信機および送信機と通信するプロセッサをさらに含む実施形態４４〜４６のいずれかに記載のＭＡＰ。
【００８４】
４８．プロセッサが、ＢＳＳタイマ情報メッセージを受信するように構成される実施形態４４〜４７のいずれかに記載のＭＡＰ。
【００８５】
４９．プロセッサが、ＢＳＳタイマ情報メッセージを修正するように構成される実施形態４４〜４８のいずれかに記載のＭＡＰ。
【００８６】
５０．プロセッサが、修正されたメッセージをＮＭエンティティに転送するように構成される実施形態４４〜４９のいずれかに記載のＭＡＰ。
【００８７】
５１．プロセッサが、ＮＭエンティティから同期メッセージを受信するようにさらに構成される実施形態４４〜５０のいずれかに記載のＭＡＰ。
【００８８】
５２．プロセッサが、同期メッセージに従ってＭＡＰを同期するようにさらに構成される実施形態４４〜５１のいずれかに記載のＭＡＰ。
【００８９】
５３．プロセッサが、ＭＡＰと通信するＳＴＡに同期メッセージを転送するようにさらに構成される実施形態４４〜５２のいずれかに記載のＭＡＰ。
【００９０】
５４．プロセッサが、中間ＭＰを介してＮＭエンティティに修正されたメッセージを転送するようにさらに構成される実施形態４４〜５３のいずれかに記載のＭＡＰ。
【００９１】
５５．プロセッサが、等価な時間値を計算するようにさらに構成される実施形態４４〜５４のいずれかに記載のＭＡＰ。
【００９２】
５６．プロセッサが、等価な時間値が、メッシュタイマに基づくようにさらに構成される実施形態４４〜５５のいずれかに記載のＭＡＰ。
【００９３】
５７．プロセッサが、ＮＭエンティティから命令信号を受信して、ＢＳＳメッシュタイミングオフセット値をＮＭエンティティに報告するようにさらに構成される実施形態４４〜５６のいずれかに記載のＭＡＰ。
【００９４】
５８．プロセッサが、ＮＭエンティティからＳＴＡに命令信号を転送するようにさらに構成される実施形態４４〜５７のいずれかに記載のＭＡＰ。
【００９５】
５９．実施形態１〜４３のいずれかに記載の方法を実行するように構成されるＩＣ（集積回路）。
【００９６】
６０．受信機をさらに含む実施形態５９のＩＣ。
【００９７】
６１．送信機をさらに含む実施形態５９〜６０のいずれかに記載のＩＣ。
【００９８】
６２．受信機および送信機と通信するプロセッサをさらに含む実施形態５９〜６１のいずれかに記載のＩＣ。
【００９９】
６３．プロセッサが、ＢＳＳタイマ情報メッセージを受信するように構成される実施形態５９〜６２のいずれかに記載のＩＣ。
【０１００】
６４．プロセッサが、ＢＳＳタイマ情報メッセージを修正するように構成される実施形態５９〜６３のいずれかに記載のＩＣ。
【０１０１】
６５．プロセッサが、修正されたメッセージをＮＭエンティティに転送するように構成される実施形態５９〜６４のいずれかに記載のＩＣ。
【０１０２】
６６．プロセッサが、ＮＭエンティティから同期メッセージを受信するようにさらに構成される実施形態５９〜６５のいずれかに記載のＩＣ。
【０１０３】
６７．プロセッサが、同期メッセージに従ってＭＡＰを同期するようにさらに構成される実施形態５９〜６６のいずれかに記載のＩＣ。
【０１０４】
６８．プロセッサが、ＭＡＰと通信するＳＴＡに同期メッセージを転送するようにさらに構成される実施形態５９〜６７のいずれかに記載のＩＣ。
【０１０５】
６９．プロセッサが、中間ＭＰを介してＮＭエンティティに修正されたメッセージを転送するようにさらに構成される実施形態５９〜６８のいずれかに記載のＩＣ。
【０１０６】
７０．プロセッサが、等価な時間値を計算するようにさらに構成される実施形態５９〜６９のいずれかに記載のＩＣ。
【０１０７】
７１．プロセッサが、等価な時間値が、メッシュタイマに基づくようにさらに構成される実施形態５９〜７０のいずれかに記載のＩＣ。
【０１０８】
７２．プロセッサが、ＮＭエンティティから命令信号を受信して、ＢＳＳメッシュタイミングオフセット値をＮＭエンティティに報告するようにさらに構成される実施形態５９〜７１のいずれかに記載のＩＣ。
【０１０９】
７３．プロセッサが、ＮＭエンティティからＳＴＡに命令信号を転送するようにさらに構成される実施形態５９〜７２のいずれかに記載のＩＣ。
【図面の簡単な説明】
【０１１０】
【図１】ＷＬＡＮ（無線ローカルエリアネットワーク）メッシュネットワークと、複数のＢＳＳ（基本サービスセット）とを含む無線通信システムを示す図である。
【図２】本発明による図１のＷＬＡＮメッシュネットワークにおけるタイミングを調整するように構成されたＷＴＲＵ（無線送受信ユニット）を示す機能ブロック図である。
【図３】図１の無線通信システムにおけるタイミングを調整するための方法を実行する、ＷＬＡＮメッシュネットワークと、複数のＢＳＳとを含む無線通信システムを示す図である。
【図４】図３の無線通信システムにおけるタイミングを調整するための方法を実行するＳＴＡ（局）、ＭＡＰ（メッシュアクセスポイント）、ＭＰ（メッシュポイント）、およびメッシュポータルの例示的な信号図である。
【図５】図３の無線通信システムにおけるタイミングを調整するための方法を実行することの流れ図である。
【図６】本発明の別の実施形態による、図３の無線通信システムにおけるタイミングを調整するための方法を実行するＳＴＡ、ＭＡＰ、ＭＰ、およびメッシュポータルの例示的な信号図である。
【図７】本発明の別の実施形態による、図３の無線通信システムにおけるタイミングを調整するための方法を実行するＳＴＡ、ＭＡＰ、ＭＰ、およびメッシュポータルの例示的な信号図である。
【図１】
2009534992.tif 000003
【図２】
2009534992.tif 000004
【図３】
2009534992.tif 000005
【図４】
2009534992.tif 000006
【図５】
2009534992.tif 000007
【図６】
2009534992.tif 000008
【図７】
2009534992.tif 000009
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
メッシュアクセスポイント（ＭＡＰ）において実施される、タイミングを調整するための方法であって、
基本サービスセット（ＢＳＳ）タイマ値を含むＢＳＳタイマ情報メッセージを局（ＳＴＡ）から受信して、前記ＢＳＳタイマ情報メッセージを修正するステップと、
前記修正されたメッセージをネットワーク管理（ＮＭ）エンティティに転送するステップと
を含むことを特徴とする方法。
【請求項２】
等価な時間値を計算するステップと、
前記計算された等価な時間値で前記ＢＳＳタイマ値を置き換えるステップと
をさらに含むことを特徴とする請求項１に記載の方法。
【請求項３】
前記等価な時間値は、タイマオフセット情報に基づいて計算されることを特徴とする請求項２に記載の方法。
【請求項４】
前記等価な時間値は、前記メッシュタイマに関して計算されることを特徴とする請求項２に記載の方法。
【請求項５】
少なくとも１つのメッシュポイント（ＭＰ）を介して前記ＮＭエンティティに前記修正されたメッセージを転送するステップをさらに含むことを特徴とする請求項１に記載の方法。
【請求項６】
前記少なくとも１つのＭＰは、同期されたＭＰであることを特徴とする請求項５に記載の方法。
【請求項７】
前記少なくとも１つのＭＰは、同期されていないＭＰであることを特徴とする請求項５に記載の方法。
【請求項８】
ＭＡＰタイマ情報を前記ＢＳＳタイマ情報メッセージに付加するステップをさらに含むことを特徴とする請求項１に記載の方法。
【請求項９】
前記ＭＡＰタイマ情報は、前記メッシュタイマオフセットを含むことを特徴とする請求項８に記載の方法。
【請求項１０】
前記ＭＡＰタイマ情報は、前記メッシュタイマオフセットのドリフトレートを含むことを特徴とする請求項８に記載の方法。
【請求項１１】
前記修正されたメッセージは、拡張されたＢＳＳタイマ情報メッセージであることを特徴とする請求項１に記載の方法。
【請求項１２】
前記修正されたメッセージは、新たに生成されたメッセージであることを特徴とする請求項１に記載の方法。
【請求項１３】
メッシュタイマメッセージを受信するステップと、
前記メッシュタイマメッセージを修正するステップと、
前記修正されたメッセージを前記ＳＴＡに転送するステップと
をさらに含むことを特徴とする請求項１に記載の方法。
【請求項１４】
情報要素（ＩＥ）を前記修正されたメッセージに追加するステップをさらに含むことを特徴とする請求項１に記載の方法。
【請求項１５】
前記タイマ値を、カプセル化するフレームに含めるステップをさらに含むことを特徴とする請求項１に記載の方法。
【請求項１６】
ネットワーク管理（ＮＭ）エンティティにおいて実施される、タイミングを調整するための方法であって、
タイミング値の報告を指示する命令を含む命令信号をメッシュアクセスポイント（ＭＡＰ）に送信するステップと、
前記ＭＡＰから、修正されていないタイミング値を受信するステップと、
前記ＭＡＰに関するタイミングオフセットを導き出すステップと
を含むことを特徴とする方法。
【請求項１７】
前記ＭＡＰを介して第１の局（ＳＴＡ）にタイミング値を送信するステップをさらに含むことを特徴とする請求項１６に記載の方法。
【請求項１８】
前記ＭＡＰを介して局（ＳＴＡ）からタイミング値を受信するステップをさらに含むことを特徴とする請求項１６に記載の方法。
【請求項１９】
前記ＭＡＰを介して第１の局（ＳＴＡ）に前記命令信号を送信するステップをさらに含むことを特徴とする請求項１６に記載の方法。
【請求項２０】
受信機と、
送信機と、
基本サービスセット（ＢＢＳ）タイマ情報メッセージを受信し、前記ＢＳＳタイマ情報メッセージを修正し、前記修正されたメッセージをネットワーク管理（ＮＭ）エンティティに転送するように構成された、前記受信機および前記送信機と通信するプロセッサと
を含むことを特徴とするメッシュアクセスポイント（ＭＡＰ）。
【請求項２１】
前記プロセッサは、前記ＮＭエンティティから同期メッセージを受信し、前記同期メッセージに従って前記ＭＡＰを同期するようにさらに構成されることを特徴とする請求項２０に記載のＭＡＰ。
【請求項２２】
前記プロセッサは、前記ＭＡＰと通信するＳＴＡに前記同期メッセージを転送するようにさらに構成されることを特徴とする請求項２１に記載のＭＡＰ。
【請求項２３】
前記プロセッサは、中間メッシュポイント（ＭＰ）を介して前記ＮＭエンティティに前記修正されたメッセージを転送するようにさらに構成されることを特徴とする請求項２０に記載のＭＡＰ。
【請求項２４】
前記プロセッサは、等価な時間値を計算するようにさらに構成されることを特徴とする請求項２０に記載のＭＡＰ。
【請求項２５】
前記等価な時間値は、前記メッシュタイマに基づくことを特徴とする請求項２４に記載のＭＡＰ。
【請求項２６】
前記プロセッサは、前記ＮＭエンティティから命令信号を受信し、ＢＳＳメッシュタイミングオフセット値を前記ＮＭエンティティに報告するようにさらに構成されることを特徴とする請求項２０に記載のＭＡＰ。
【請求項２７】
前記プロセッサは、前記ＮＭエンティティから前記ＳＴＡに前記命令信号を転送するようにさらに構成されることを特徴とする請求項２６に記載のＭＡＰ。
【請求項２８】
受信機と、
送信機と、
基本サービスセット（ＢＢＳ）タイマ情報メッセージを受信し、前記ＢＳＳタイマ情報メッセージを修正し、前記修正されたメッセージをネットワーク管理（ＮＭ）エンティティに転送するように構成された、前記受信機および前記送信機と通信するプロセッサと
を含むことを特徴とする集積回路（ＩＣ）。
【請求項２９】
前記プロセッサは、前記ＮＭエンティティから同期メッセージを受信し、前記同期メッセージに従って前記ＭＡＰを同期するようにさらに構成されることを特徴とする請求項２８に記載のＩＣ。
【請求項３０】
前記プロセッサは、前記ＭＡＰと通信するＳＴＡに前記同期メッセージを転送するようにさらに構成されることを特徴とする請求項２９に記載のＩＣ。
【請求項３１】
前記プロセッサは、中間メッシュポイント（ＭＰ）を介して前記ＮＭエンティティに前記修正されたメッセージを転送するようにさらに構成されることを特徴とする請求項２８に記載のＩＣ。
【請求項３２】
前記プロセッサは、等価な時間値を計算するようにさらに構成されることを特徴とする請求項２８に記載のＩＣ。
【請求項３３】
前記等価な時間値は、前記メッシュタイマに基づくことを特徴とする請求項３２に記載のＩＣ。
【請求項３４】
前記プロセッサは、前記ＮＭエンティティから命令信号を受信し、ＢＳＳメッシュタイミングオフセット値を前記ＮＭエンティティに報告するようにさらに構成されることを特徴とする請求項２８に記載のＩＣ。
【請求項３５】
前記プロセッサは、前記ＮＭエンティティから前記ＳＴＡに前記命令信号を転送するようにさらに構成されることを特徴とする請求項３４に記載のＩＣ。
【国際調査報告】
2009534992.tif 000010
2009534992.tif 000011
2009534992.tif 000012